(57)【特許請求の範囲】
【請求項１】
シャフト本体に間隔を置いて嵌着された複数のボス部材と、該各ボス部材に設けられ且つ前記シャフト本体と交差する方向へ延びるアームと、該各アームに取り付けられたパドルとを有するミキサシャフトにおいて、前記の各ボス部材の嵌着部分に隣接するシャフト本体の露出部分に、該露出部分を被覆し且つボス部材の縁端部に接触するように弾力性を具備した材料よりなるシャフト保護具を嵌着したことを特徴とするミキサシャフト。
【請求項２】
弾力性を具備した材料よりなり保護すべきシャフト本体の外周部に外嵌可能な内周部形状を有し且つ切れ目を設けた環状の断面形状を有するシャフト保護具本体と、シャフト保護具本体の両切れ目端を相互に締結する締結具とを備えてなることを特徴とするシャフト保護具。
【請求項３】
弾力性を具備した材料よりなり保護すべきシャフト本体の外周部に外嵌可能な内周部形状を有し且つ切れ目を設けた環状の断面形状を有するシャフト保護具本体と、該シャフト保護具本体と一体的に形成され前記切れ目の一方の端から他方の端へ向かって突出する第１の突出部と、前記のシャフト保護具本体と一体的に形成され前記切れ目の他方の端から一方の端へ向かって突出し且つ前記の第１の突出部に重合可能な第２の突出部と、外方から前記のシャフト本体の中心部へ向かって延び前記第１の突出部と第２の突出部との重合部を相互に締結する締結具とを備えてなることを特徴とするシャフト保護具。
【発明の詳細な説明】
【０００１】
【産業上の利用分野】
本発明は、ミキサシャフト及びシャフト保護具に関するものである。
【０００２】
【従来の技術】
図４に示されるように、２軸ミキサなどの混練装置のミキサシャフト１はモータ等の駆動装置（図示せず）によって駆動されるシャフト本体２と、該シャフト本体２に所定の間隔を置いて嵌着された複数のボス部材３（二つ割り構造）と、該各ボス部材３と一体的に形成され、且つ前記シャフト本体２と交差する両側方向へ延びる所定長さのアーム４と、該アーム４に取り付けられたパドル５，６，７とを有している。
【０００３】
而して、図示していない駆動装置により駆動されるシャフト本体２とともに回転するパドル５，６，７によって混練槽（図示せず）内に投入されたモルタルやコンクリートなどを混練する。
【０００４】
上述した構成のミキサシャフト１を有する混練装置では、モルタルやコンクリートを混練したのちに、混練槽及びミキサシャフト１に対して水洗浄を実施するようにしている。
【０００５】
【発明が解決しようとする課題】
しかしながら、前述のミキサシャフト１では、水洗浄を実施してもボス部材３の嵌着部分に隣接するシャフト本体２の露出部分に付着したモルタルやコンクリートを完全に洗い流すことができず、シャフト本体２の露出部分にモルタルやコンクリートが固着してしまうことがある。
【０００６】
シャフト本体２の露出部分にモルタルやコンクリートが固着した場合には、ハンマーなどの手段により衝撃を与えてもシャフト本体２に固着したモルタルやコンクリートは容易に剥離しない。
【０００７】
また、コンクリートを構成する骨材が大きい場合には、コンクリート混練時にボス部材３の嵌着部分に隣接するシャフト本体２の露出部分及びボス部材３に骨材が断続的に接触することによりシャフト本体２の露出部分やボス部材３の縁端部が磨耗することがあるなどの問題があった。
【０００８】
本発明は、前述の実情に鑑み、シャフト本体の露出部分やボス部材の縁端部を確実に保護し得るミキサシャフト及びシャフト保護具を提供することを目的としてなしたものである。
【０００９】
【課題を解決するための手段】
第１の発明は、シャフト本体に間隔を置いて嵌着された複数のボス部材と、該各ボス部材に設けられ且つ前記シャフト本体と交差する方向へ延びるアームと、該各アームに取り付けられたパドルとを有するミキサシャフトにおいて、前記の各ボス部材の嵌着部分に隣接するシャフト本体の露出部分に、該露出部分を被覆し且つボス部材の縁端部に接触するように弾力性を具備した材料よりなるシャフト保護具を嵌着した構成としている。
【００１０】
第２の発明は、弾力性を具備した材料よりなり保護すべきシャフト本体の外周部に外嵌可能な内周部形状を有し且つ切れ目を設けた環状の断面形状を有するシャフト保護具本体と、該シャフト保護具本体の両切れ目端を相互に締結する締結具とを備えた構成としている。
【００１１】
第３の発明は、弾力性を具備した材料よりなり保護すべきシャフト本体の外周部に外嵌可能な内周部形状を有し且つ切れ目を設けた環状の断面形状を有するシャフト保護具本体と、該シャフト保護具本体と一体的に形成され前記切れ目の一方の端から他方の端へ向かって突出する第１の突出部と、前記のシャフト保護具本体と一体的に形成され前記切れ目の他方の端から一方の端へ向かって突出し且つ前記の第１の突出部に重合可能な第２の突出部と、外方から前記のシャフト本体の中心部へ向かって延び前記第１の突出部と第２の突出部との重合部を相互に締結する締結具とを備えた構成としている。
【００１２】
【作用】
従って、第１、第２及び第３の発明では、シャフト本体の露出部分に嵌着したシャフト保護具がシャフト本体の露出部分やボス部材の縁端部を確実に保護し、シャフト保護具が具備している弾力性がモルタルやコンクリートの剥離を助長する。
【００１３】
また、第２及び第３の発明では、シャフト保護具の切れ目の開閉によりシャフト本体に対しシャフト保護具が容易に着脱される。
【００１４】
さらに、第３の発明では、シャフト本体の中心部に向かって延びてシャフト保護具の両切れ目端を締結している締結具がシャフト本体回転時にシャフト保護具に作用する外力を剪断力として負荷する。
【００１５】
【実施例】
以下、本発明の実施例を図面を参照しつつ説明する。
【００１６】
図１ないし図３は本発明のミキサシャフト及びシャフト保護具の一実施例の概略を表し、図中、図４と同じものには同じ符号を付してある。
【００１７】
本実施例では、モータ等の駆動装置（図示せず）によって駆動されるシャフト本体２と、該シャフト本体２に所定の間隔を置いて嵌着された複数のボス部材３（二つ割り構造）と、該各ボス部材３と一体的に形成され且つ前記シャフト本体２と交差する両側方向へ延びる所定長さのアーム４と、該アーム４に取り付けられたパドル５，６，７とを備えたミキサシャフトにおいて、弾力性を具備した材料よりなり、前記の各ボス部材３の嵌着部分に隣接するシャフト本体２の露出部分の外周部に外嵌可能な内周部形状を有し、前記シャフト本体２の露出部分の両側の各ボス部材３の縁端部に接触し得る長さを有し、前記ボス部材３の外径と略同径の外径を有し、周方向の１箇所に外周部より内周部にわたる切れ目を設けた環状の断面形状を有するシャフト保護具本体８を備え、該シャフト保護具本体８に対して一体的に形成されシャフト保護具本体８の切れ目の一方の端から他方の端へ向かって突出する第１の突出部９と、前記のシャフト保護具本体８に対して一体的に形成されシャフト保護具本体８の切れ目の他方の端から一方の端へ向かって突出し且つ前記の第１の突出部９に重合可能な第２の突出部１０とを設け、該第２の突出部１０の外周から各突出部９，１０の重合部分の面に直交する方向へ通って第１の突出部９に達する複数のネジ下穴１１を所定の間隔を置いて穿設し、該ネジ下穴１１の開口部分を座ぐり加工し、該ネジ下穴１１にタッピンねじ１２をねじ込むことによりシャフト保護具本体８の両切れ目端を相互に締結し得るように形成した複数のシャフト保護具１３を次のように用いる。
【００１８】
即ち、前記シャフト保護具１３を各ボス部材３の嵌着部分に隣接するシャフト本体２の露出部分に、シャフト保護具本体８の両切れ目端の間を図２に示すように引き開きつつ外嵌して前記の露出部分を被覆し、且つボス部材３の縁端部に接触するように嵌め込んで第１の突出部９と第２の突出部１０とを重ね合わせたのち、該両突出部９，１０に設けたネジ下穴１１にタッピンねじ１２をねじ込むことによりシャフト保護具本体８の両切れ目端を相互に締結することにより、シャフト保護具１３をシャフト本体２の露出部分に嵌着する。
【００１９】
前記によれば、シャフト本体２の露出部分に嵌着したシャフト保護具１３は、シャフト本体２の露出部分やボス部材３の縁端部を確実に保護するとともに、弾力性を具備した材料によって形成されているので、シャフト保護具１３にモルタルやコンクリートが固着した場合には、ハンマーなどの手段により衝撃を与えることによりシャフト保護具１３に固着したモルタルやコンクリートを容易に剥離させることができる。
【００２０】
また、切れ目を設けた環状の断面形状を有しているので、シャフト本体２を混練装置から取り外すことなく、シャフト本体２に対するシャフト保護具１３の着脱を容易に行なうことができる。
【００２１】
さらに、シャフト保護具１３の両切れ目端を締結しているタッピンねじ１２がシャフト保護具１３の外方からシャフト本体２の中心部に向かって延びているため、コンクート混練時にシャフト本体２とともに回転するシャフト保護具１３に骨材が接し、シャフト保護具１３を開こうとする外力が作用した場合に、タッピンねじ１２に対して剪断力のみが作用し引張力が作用しないので、タッピンねじ１２を小型化できる。
【００２２】
なお、本発明は前述の実施例にのみ限定されるものではなく、本発明の要旨を逸脱しない範囲内において種々変更を加え得ることは勿論である。
【００２３】
【発明の効果】
本発明のミキサシャフト及びシャフト保護具によれば、下記のごとき種々の優れた効果を奏し得る。
【００２４】
Ｉ）請求項１に記載したミキサシャフトにおけるシャフトの保護具、及び請求項２、請求項３に記載したシャフト保護具は、それぞれ弾力性を具備した材料によって形成されているので、シャフト保護具に固着したモルタルやコンクリートを容易に剥離させることができる。
【００２５】
ＩＩ）請求項２、請求項３に記載したシャフト保護具は、切れ目を設けた環状の断面形状を有しているので、シャフト本体を混練装置から取り外すことなくシャフト本体に対するシャフト保護具の着脱を行なうことができる。
【００２６】
ＩＩＩ）請求項３に記載したシャフト保護具では、シャフト保護具の両切れ目端を相互に締結する締結具がシャフト保護具の外方からシャフト本体の中心部に向かって延びているため、シャフト本体の回転時にシャフト保護具に作用する外力が作用した場合に、締結具に対して剪断力のみが作用し引張力が作用しないので、締結具を小型化できる。
【図面の簡単な説明】
【図１】本発明のミキサシャフト及びシャフト保護具の一実施例の概略を表す平面図である。
【図２】図１のＩＩ−ＩＩ矢視図である。
【図３】図２に関連するシャフト保護具の両切れ目端を引き開いた状態を表す側面図である。
【図４】従来のミキサシャフトの一例の概略を表す平面図である。
【符号の説明】
１      ミキサシャフト
２      シャフト本体
３      ボス部材
４      アーム
５      パドル
６      パドル
７      パドル
８      シャフト保護具本体
９      第１の突出部
１０    第２の突出部
１２    タッピンねじ（締結具）
１３    シャフト保護具
【図１】
0003556691.tif 000002
【図２】
0003556691.tif 000003
【図３】
0003556691.tif 000004
【図４】
0003556691.tif 000005